(57)【特許請求の範囲】
【請求項１】
内周部に等角度間隔で９極の磁極歯を設けたステータコアと、該ステータコアの前記９極の磁極歯に対して、２極おきに３極ずつ３組の磁極歯にそれぞれ巻線された３相の各相のコイルが各相ごとに並列に接続されて３相星形結線されたステータコイルとからなり、
前記各相ごとに３極ずつの各コイルの３本の給電線が、それぞれ前記ステータコアの隣接する磁極歯間の同一スロットから該ステータコアの一方の端面側に出ており、かつ該３本の給電線が同じ磁極歯に巻線されたコイルに巻き込まれて固定されていることを特徴とする３相９極のステータ。
【請求項２】
請求項１記載の３相９極のステータにおいて、前記各相ごとに３極ずつの各コイルの３本のコモン線のうち２本は前記ステータコアの隣接する磁極歯間の同一スロットから、１本は別のスロットからそれぞれ該ステータコアの前記一方の端面側に出ており、前記各相の各コイルの全てのコモン線が該一方の端面側で共通接続されて３相星型結線の中性点を構成していることを特徴とする３相９極のステータ。
【請求項３】
請求項２記載の３相９極のステータにおいて、前記ステータコアの前記一方の端面側と反対の端面側に前記各相の各コイルをつなぐ渡り線が形成され、各相ごとの該渡り線の合計が前記ステータコアを少なくとも一周する長さを有し、該各相ごとの渡り線がそれぞれ全体として１本ずつ螺旋を描くように絶縁枠に形成された溝に係止され、該絶縁枠によって相間絶縁されていることを特徴とする３相９極のステータ。
【請求項４】
３相９極のステータを構成するステータコアの内周部に等角度間隔で設けられた９極の磁極歯に対して、２極おきに３極ずつ３組の磁極歯にそれぞれ３相の各相のコイルを各相ごとに並列に接続して３相星形結線のステータコイルを巻線するステータコイル巻線方法であって、
前記３組の磁極歯のそれぞれ第１の磁極歯と一定方向に隣接する磁極歯との間の巻き始めスロットに前記ステータコアの第１の端面側から３相同時にコイル線を導入して第２の端面側へ導出し、それぞれ同じ方向に２極おいた第２の磁極歯まで渡り線を形成して該第２の磁極歯に各相の第２のコイルを巻線した後、前記第２の端面側へ導出し、
再びそれぞれ前記同じ方向に２極おいた第３の磁極歯まで渡り線を形成して、該第３の磁極歯と前記一定方向と反対方向に隣接する磁極歯との間の中間スロットを通して前記第１の端面側へ導出した後、折り返して再び該中間スロット内へ導入して前記第３の磁極歯に各相の第３のコイルを巻線した後、前記第２の端面側に導出し、
再びそれぞれ前記同じ方向に２極おいた前記第１の磁極歯まで渡り線を形成して、前記巻き始めスロットを通して前記第１の端面側へ導出した後、折り返して再び該巻き始めスロット内へ導入して前記第１の磁極歯に各相の第１のコイルを巻線し、該第１の磁極歯と前記一定方向と反対方向に隣接する磁極歯との間の巻き終わりスロットを通して前記第１の端面側へ導出することを特徴とするステータコイル巻線方法。
【請求項５】
請求項４記載のステータコイル巻線方法において、
前記各巻き終わりスロットから導出した各相の巻き終わりリード線と、前記各中間スロットから前記第１の端面側へ導出した後折り返した各相の折り返しリード線とを、それぞれ前記各コイルのコモン線として共通接続して３相星型結線の中性点とし、
前記各巻き始めスロットから前記第１の端面側に出ている各相の巻き始めリード線と、前記各相の第１のコイルを巻線する前に該巻き始めスロットから前記第１の端面側へ導出した後折り返した各相の折り返しリード線とを、各相ごとに接続してそれぞれ各相の給電線とすることを特徴とするステータコイル巻線方法。
【請求項６】
請求項４又は５記載のステータコイル巻線方法において、
前記ステータコアの前記第２の端面側に形成される前記各相の各コイルをつなぐ渡り線を、それぞれ全体として１本ずつ螺旋を描くように絶縁枠に形成された溝に係止させて、相間絶縁をとることを特徴とするステータコイル巻線方法。
【発明の詳細な説明】
【技術分野】
【０００１】
この発明は、３相モータ（電動機）に用いる３相９極のステータ（固定子）、およびその９極の磁極歯を設けたステータコア（固定子鉄心）に３相星型結線するステータコイルを並列巻線するステータコイル巻線方法に関する。
【背景技術】
【０００２】
一般に、３相モータのステータに巻線されたステータコイルの多くは星型結線がなされている。その場合、大きなパワーを要求される大電流のモータでは、スタータコイルの各相を互いに並列接続された複数極のコイルで構成する必要がある。
例えば、従来の３相６極のステータにおけるステータコイルの星型結線状態が特許文献１に示されている。
【特許文献１】特開２００３−１３４７１６号公報
【０００３】
図５は、これと同様な従来の３相９極のステータにおけるステータコイルの星型結線状態を示す図である。この３相９極のステータ２０は、ステータコア１２の内周部に等角度間隔で配置された９極の磁極歯１２ａ〜１２ｉを有し、その隣り合う磁極歯の間に巻線用のスロットＳを形成している。
【０００４】
そのステータコア１２には、各相の給電端子Ｕ，Ｖ，Ｗを有する絶縁枠（図示していない）を介して、Ｕ相、Ｖ相、Ｗ相ごとに３本ずつ並列に結線されたステータコイル（以下単に「コイル」という）Ｕ１，Ｕ２，Ｕ３；Ｖ１，Ｖ２．Ｖ３；Ｗ１，Ｗ２，Ｗ３が１２０度ずつ離れた２極おきの各磁極歯１２ａ，１２ｄ，１２ｇ；１２ｂ，１２ｅ，１２ｈ；１２ｃ，１２ｆ，１２ｉにそれぞれ巻線されている。
【０００５】
そして、これらの９極のコイルＵ１，Ｕ２，Ｕ３；Ｖ１，Ｖ２．Ｖ３；Ｗ１，Ｗ２，Ｗ３の各巻き終わりの中性線（リード線）１ｕ，２ｕ，３ｕ；１ｖ，２ｖ，３ｖ；１ｗ，２ｗ，３ｗを、上記絶縁枠の各端子部に預けた後、溶接又は半田付け等によってコモン端子Ｃで互いに接続することによって、３相星型結線の中性点を形成している。
このステータコイルの３相星型結線状態を簡略化した模式的結線図を図６に示す。
【発明の開示】
【発明が解決しようとする課題】
【０００６】
このような従来の３相モータ用の集中巻線方式のステータにおける９極のステータコイルの並列結線方法では、９本のコモン線（中性線）の接続と、Ｕ相、Ｖ相、Ｗ相それぞれ３本ずつの給電線（電源線）の接続とが必要になる。そのため、固定子鉄心１１の各磁極歯１２ａ〜１２ｉの間に形成されている９つの各スロットＳごとに、各コイルＵ１，Ｕ２，Ｕ３；Ｖ１，Ｖ２，Ｖ３；Ｗ１，Ｗ２，Ｗ３の巻き始めと巻き終わりのリード線を２本ずつ導出することになり、合計１８本のリード線がステータコア１２の全周から出ていた。
【０００７】
その１８本のリード線を相間絶縁しながら結線処理するためには、全てのリード線に絶縁チューブを被せてから、まとめてかつコイルが緩まないように各リード線を固定する必要があり、作業時間が長くかかり、絶縁チューブのコストも高いため、改善が求められていた。
【０００８】
この発明は、このような要求に応えるためになされたものであり、上述のような３相９極のステータにおいて、３相星型結線するステータコイルにおける各相各極のコイルのリード線の結線処理を簡単にし、絶縁チューブの使用量も少なくして、コスト低減を図ることを目的とする。
【課題を解決するための手段】
【０００９】
この発明による３相９極のステータは、内周部に等角度間隔で９極の磁極歯を設けたステータコアと、そのステータコアの９極の磁極歯に対して、２極おきに３極ずつ３組の磁極歯にそれぞれ巻線された３相の各相のコイルが各相ごとに並列に接続されて３相星形結線されたステータコイルとからなる。
そして、上記の目的を達成するため、各相ごとに３極ずつの各コイルの３本の給電線が、それぞれ上記ステータコアの隣接する磁極歯間の同一スロットからステータコアの一方の端面側に出ており、かつその３本の給電線が同じ磁極歯に巻線されたコイルに巻き込まれて固定されていることを特徴とする。
【００１０】
さらに、この３相９極のステータにおいて、各相ごとに３極ずつの各コイルの３本のコモン線のうち２本は上記ステータコアの隣接する磁極歯間の同一スロットから、１本は別のスロットからそれぞれステータコアの上記一方の端面側に出ており、その各相の各コイルの全てのコモン線が上記一方の端面側で共通接続されて３相星型結線の中性点を構成しているようにするとよい。
【００１１】
また、上記ステータコアの上記一方の端面側と反対の端面側に上記各相の各コイルをつなぐ渡り線が形成され、各相ごとの渡り線の合計が上記ステータコアを少なくとも一周する長さを有し、各相ごとの渡り線がそれぞれ全体として１本ずつ螺旋を描く様に絶縁枠に形成された溝に係止され、その絶縁枠によって相間絶縁されているようにするとよい。
【００１２】
この発明によるステータコイル巻線方法は、３相９極のステータを構成するステータコアの内周部に等角度間隔で設けられた９極の磁極歯に対して、２極おきに３極ずつ３組の磁極歯にそれぞれ３相の各相のコイルを各相ごとに並列に接続して３相星形結線のステータコイルを巻線する方法であって、前述の目的を達成するため、次のように巻線することを特徴とする。
上記３組の磁極歯のそれぞれ第１の磁極歯と一定方向に隣接する磁極歯との間の巻き始めスロットに上記ステータコアの第１の端面側から３相同時にコイル線を導入して第２の端面側へ導出し、それぞれ同じ方向に２極おいた第２の磁極歯まで渡り線を形成してその第２の磁極歯に各相の第２のコイルを巻線した後、上記第２の端面側へ導出する。
【００１３】
そのコイル線を、再びそれぞれ上記同じ方向に２極おいた第３の磁極歯まで渡り線を形成して、その第３の磁極歯と上記一定方向と反対方向に隣接する磁極歯との間の中間スロットを通して上記第１の端面側へ導出した後、折り返して再びその中間スロット内へ導入して上記第３の磁極歯に各相の第３のコイルを巻線した後、上記第２の端面側に導出する。そのコイル線を、再びそれぞれ上記同じ方向に２極おいた第１の磁極歯まで渡り線を形成して、上記巻き始めスロットを通して上記第１の端面側へ導出した後、折り返して再びその巻き始めスロット内へ導入して上記第１の磁極歯に各相の第１のコイルを巻線し、その第１の磁極歯と上記一定方向と反対方向に隣接する磁極歯との間の巻き終わりスロットを通して上記第１の端面側へ導出する。
【００１４】
このステータコイル巻線方法において、上記各巻き終わりスロットから導出した各相の巻き終わりリード線と、上記各中間スロットから上記第１の端面側へ導出した後折り返した各相の折り返しリード線とを、それぞれ上記各コイルのコモン線として共通接続して３相星型結線の中性点とし、上記各巻き始めスロットから上記第１の端面側に出ている各相の巻き始めリード線と、各相の上記第１のコイルを巻線する前にこの巻き始めスロットから上記第１の端面側へ導出した後折り返した各相の折り返しリード線とを、各相ごとに接続してそれぞれ各相の給電線にするとよい。
【００１５】
さらに、上記ステータコアの上記第２の端面側に形成される上記各相の各コイルをつなぐ渡り線を、それぞれ全体として１本ずつ螺旋を描く様に絶縁枠に形成された溝に係止させて、相間絶縁をとることができる。
【発明の効果】
【００１６】
この発明による３相９極のステータ及びそのステータコイル巻線方法によれば、各相の３極ずつの各コイルの３本の給電線（リード線）が同一スロットからステータコアの一方の端面側に出ているため、各相ごとにその３本の給電線をまとめて絶縁チューブに入れることによって給電線処理及びその相間絶縁処理が完了し、かつその３本の給電線は同じ磁極歯に巻線されたコイルに巻き込まれて固定されているため、特に固定処置を行わなくてもコイルが緩むことが無く、作業効率が大幅に向上する。
また、各相の３極ずつの各コイルの各コモン線も全てステータコアの上記端面側に出るようにすることができ、それによって、その各コモン線は絶縁チューブを通さずに、９本をそのまま１箇所にまとめて束ねる(接続する)だけで３相星型結線の中性点を構成するコモン端子となるので、作業効率及びコストが大幅に改善される。
【００１７】
各相の３本の給電線は１箇所にまとめられているので、上記のようにそのまま束ねて使用してもよいし、端子に預けてそこから給電線を出しても良い。
同様にコモン線も直接束ねて半田付け又は溶接等によって接続してもよいし、共通の端子で電気的に接続しても良い。
さらに、このステータではステータコアの上記と反対の端面側に各相の各コイルをつなぐ渡り線が形成され、その各相ごとの渡り線の合計がステータコアを少なくとも一周する長さになるが、その各相の渡り線を、それぞれ全体として１本ずつ螺旋を描くように絶縁枠に形成された溝に係止させることによって、完全な相間絶縁をとることができる。
【発明を実施するための最良の形態】
【００１８】
以下、この発明を実施するための最良の形態を図面に基づいて説明する。
図１は、この発明の一実施例である３相９極のステータを一方の端面側から見た下面図であり、絶縁板は図示を省略している。この３相９極のステータ１０は、ステータコア５の内周部に４０°の等角度間隔で配置された９極の磁極歯５Ｕ１〜５Ｕ３、５Ｖ１〜５Ｖ３、５Ｗ１〜５Ｗ３を設け、その隣り合う各磁極歯の間に巻線用のスロットＳ１〜Ｓ９を形成している。
【００１９】
そのステータコア５には、各相の給電端子Ｕ，Ｖ，Ｗを有する絶縁枠（図示していない）を介して、Ｕ相、Ｖ相、Ｗ相ごとに３本ずつ並列に結線されたステータコイル（以下単に「コイル」という）Ｕ１，Ｕ２，Ｕ３；Ｖ１，Ｖ２，Ｖ３；Ｗ１，Ｗ２，Ｗ３が１２０度ずつ離れた２極おきの各磁極歯５Ｕ１，５Ｕ２，５Ｕ３；５Ｖ１，５Ｖ２，５Ｖ３；５Ｗ１，５Ｗ２，５Ｗ３にそれぞれ巻線されている。
【００２０】
そして、これらの各相ごとに３極ずつの各コイルＵ１，Ｕ２，Ｕ３；Ｖ１，Ｖ２．Ｖ３；Ｗ１，Ｗ２，Ｗ３の各巻き始めのリード線である３本ずつの給電線ｅ１〜ｅ３、ｅ４〜ｅ６、ｅ７〜ｅ９が、それぞれステータコア５の隣接する磁極歯間の同一スロットＳ１、Ｓ３、Ｓ５から一方の端面である図１に示す第１の端面５ａ側に出ている。そして、それぞれ３本ずつの給電線ｅ１〜ｅ３、ｅ４〜ｅ６、ｅ７〜ｅ９が同じ磁極歯５Ｕ１、５Ｖ１、５Ｗ１に巻線されたコイルＵ１、Ｖ１、Ｗ１に巻き込まれて巻き締め固定されている。
【００２１】
すなわち、Ｕ相の給電線ｅ１〜ｅ３は、いずれも磁極歯５Ｕ１に巻線されたコイルＵ１に巻き込まれて固定されてスロットＳ１から出てＵ相の給電端子Ｕに接続される。Ｖ相の給電線ｅ４〜ｅ６は、いずれも磁極歯５Ｖ１に巻線されたコイルＶ１に巻き込まれて固定されてスロットＳ３から出てＶ相の給電端子部Ｖに接続される。そして、Ｗ相の給電線ｅ７〜ｅ９は、いずれも磁極歯５Ｗ１に巻線されたコイルＷ１に巻き込まれて固定されてスロットＳ５から出てＷ相の給電端子Ｗに接続される。
【００２２】
したがって、各相ごとに３本の給電線をまとめて図示していない絶縁チューブに入れることによって給電線処理及びその相間絶縁処理が完了することができ、かつその３本の給電線は同じ磁極歯に巻線されたコイルに巻き込まれて固定されているため、特に固定処置を行わなくてもコイルが緩むことがない。
【００２３】
一方、各相ごとに３極ずつの各コイルＵ１，Ｕ２，Ｕ３；Ｖ１，Ｖ２．Ｖ３；Ｗ１，Ｗ２，Ｗ３の各巻き終わりのコモン線Ｃ１〜Ｃ９は、各相２本ずつのコモン線Ｃ２，Ｃ３は同じスロットＳ６から、Ｃ５，Ｃ６は同じスロットＳ８から、Ｃ８，Ｃ９は同じスロットＳ１からそれぞれ第１の端面５ａ側に出ている。各相の残りの１本ずつのコモン線Ｃ１，Ｃ４，Ｃ７はそれぞれ別のスロットＳ９，Ｓ２，Ｓ４から第１の端面５ａ側に出ている。そして、これらの９本のコモン線Ｃ１〜Ｃ９は絶縁チューブを通さずに、９本をそのまま１箇所にまとめて束ねる(この例では共通のコモン端子Ｃに接続する)だけで、３相星型結線の中性点を構成するコモン端子となる。
【００２４】
図２は、この３相９極のステータにおける第１の端面と反対側の第２の端面側における渡り線の係止状態を示す部分側面図である。
図１に示したステータ１０におけるステータコア５の第１の端面５ａと反対側の図２に示す第２の端面５ｂ側に、Ｕ相の各コイルＵ１，Ｕ２，Ｕ３をつなぐ渡り線Ｕｂ、Ｖ相の各コイルＶ１，Ｖ２，Ｖ３をつなぐ渡り線Ｖｂ、およびＷ相の各コイルＷ１，Ｗ２，Ｗ３をつなぐ渡り線が形成され、各相ごとの該渡り線の合計がステータコア５を少なくとも一周する長さを有する。
【００２５】
そして、その各相ごとの渡り線Ｕｂ，Ｖｂ，Ｗｂがそれぞれ全体として１本ずつ螺旋を描くように絶縁枠７に形成された溝７ａに係止され、その絶縁枠７によって相間絶縁されている。この絶縁枠７は、ステータコア５の内周面に密着して各スロットＳ１〜Ｓ９に嵌入し、そのステータコア５に固定されている。
【００２６】
次に、上述のような３相９極のステータを製造するためのこの発明によるステータコイル巻線方法の実施例を図３および図４によって説明する。
図３はそのステータコイル巻線方法を説明するための模式的展開図であり、ステータコア５の磁極歯５Ｕ１と５Ｖ３との間を軸線方向に切断して展開し、第２の端面５ｂを上側にして、各磁極歯５Ｕ１，５Ｕ２，５Ｕ３；５Ｖ１，５Ｖ２，５Ｖ３；５Ｗ１，５Ｗ２，５Ｗ３と絶縁枠６，７だけを実線で示している。図４はそのステータの第２の端面側における渡り線の状態を示す平面図である。
これらの図において、Ｕ相のコイル線（コイル部、電源線およびコモン線となるリード線、並びに渡り線を含む）８を実線で、Ｖ相のコイル線８を一点鎖線で、Ｗ相のコイル線８を破線でそれぞれ示している。
【００２７】
図３に示すステータコイル巻線方法は、ステータコア５の３組の磁極歯５Ｕ１，５Ｕ２，５Ｕ３；５Ｖ１，５Ｖ２，５Ｖ３；５Ｗ１，５Ｗ２，５Ｗ３のうちのそれぞれ第１の磁極歯５Ｕ１，５Ｖ１，５Ｗ１と一定方向（図３では右方向）に隣接する磁極歯５Ｗ３，５Ｕ２，５Ｖ２との間の巻き始めスロットＳ１，Ｓ３，Ｓ５にステータコア５の第１の端面５ａ側から３相同時にコイル線８を導入して第２の端面５ｂ側へ導出する。
【００２８】
そして、その各コイル線８でそれぞれ同じ方向（図３では右方向）に２極おいた第２の磁極歯５Ｕ２，５Ｖ２，５Ｗ２まで渡り線Ｕｂ，Ｖｂ，Ｗｂを形成して、その第２の磁極歯５Ｕ２，５Ｖ２，５Ｗ２に各相の第２のコイルＵ２，Ｖ２，Ｗ２を巻線した後、再び第２の端面５ｂ側へ導出する。図３では簡略化しているので、各コイルＵ２，Ｖ２，Ｗ２はそれぞれ１回足らずしか巻回していないように見えるが、実際にはそれぞれ必要な回数だけ巻回している。後述する他の磁極歯に巻線するコイルについても同様である。
【００２９】
そして、その各コイル線８で再びそれぞれ前と同じ方向に２極おいた第３の磁極歯５Ｕ３，５Ｖ３，５Ｗ３まで渡り線Ｕｂ，Ｖｂ，Ｗｂを形成して、その第３の磁極歯５Ｕ３，５Ｖ３，５Ｗ３と先の一定方向と反対方向（図３では左方向）に隣接する磁極歯５Ｖ２，５Ｗ２，５Ｕ１との間の中間スロットＳ６，Ｓ８，Ｓ１を通して第１の端面５ａ側へ導出した後、折り返して再び同じ中間スロットＳ６，Ｓ８，Ｓ１内へ導入する。そして、第３の磁極歯５Ｕ３，５Ｖ３，５Ｗ３にそれぞれ各相の第３のコイルＵ３，Ｖ３，Ｗ３を巻線した後、第２の端面５ｂ側に導出する。なおスロットＳ１は、Ｕ相の巻き始めスロットとＷ相の中間スロットとを兼ねている。
【００３０】
そして再び、その各コイル線８でそれぞれ前と同じ方向に２極おいた第１の磁極歯５Ｕ１，５Ｖ１，５Ｗ１まで渡り線Ｕｂ，Ｖｂ，Ｗｂを形成して、前述の各巻き始めスロットＳ１，Ｓ３，Ｓ５を通して第１の端面５ａ側へ導出した後、折り返して再び同じ巻き始めスロットＳ１，Ｓ３，Ｓ５内へ導入する。そして、それぞれ第１の磁極歯５Ｕ１，５Ｖ１，５Ｗ１に各相の第１のコイルＵ１，Ｖ１，Ｗ１を巻線し、その第１の磁極歯５Ｕ１，５Ｖ１，５Ｗ１と前記一定方向と反対方向（図３では左方向）に隣接する磁極歯５Ｖ３，５Ｗ３，５Ｕ２との間の巻き終わりスロットＳ９，Ｓ２，Ｓ４を通して第１の端面５ａ側へ導出する。
【００３１】
このとき、ステータコア５の第２の端面５ｂ側における各相の渡り線Ｕｂ，Ｖｂ，Ｗｂと、各相のコイルＵ１，Ｕ２，Ｕ３；Ｖ１，Ｖ２，Ｖ３；Ｗ１，Ｗ２，Ｗ３との関係は図４に示すようになっている。その各相の渡り線Ｕｂ，Ｖｂ，Ｗｂは、それぞれ合計の長さがステータコアの少なくとも一周に相当し、図３に示すように、それぞれ全体として１本ずつ螺旋を描くように絶縁枠７に形成された溝７ａに係止させて、相間絶縁をとって保持する。
【００３２】
例えば特許文献１に記載されているように、各相の渡り線をステータコアの端面に平行に高さを変えて係止する従来の方法では、各相の渡り線の合計の長さがステータコアの一周以上の場合には、各相の線が交差して相間絶縁が出来なかったが、この実施例のように、各相毎に各極のコイルをつなぐ渡り線が全体として１本の螺旋を描くように絶縁枠の溝形状を作ることにより、完全な相間絶縁が可能になった。
【００３３】
一方、図３に示すようにステータコア５の各スロットから第１の端面５ａ側に出ている各リード線は、各スロット毎にまとめて（但し、スロットＳ１から出ているリード線はＵ相とＷ相とを分離して）それぞれ絶縁枠６の溝６ａに係止させている。
そして、各巻き終わりスロットＳ９，Ｓ２，Ｓ４から導出した各相の巻き終わりリード線ｃ１，ｃ４，ｃ７と、各中間スロットＳ６，Ｓ８，Ｓ１から第１の端面側へ導出した後折り返した各相の折り返しリード線ｃ２とｃ３，ｃ５とｃ６，ｃ８とｃ９とを、それぞれ各コイルＵ１，Ｕ２，Ｕ３；Ｖ１，Ｖ２．Ｖ３；Ｗ１，Ｗ２，Ｗ３のコモン線として共通接続して３相星型結線の中性点とし、図１に示したようにコモン端子Ｃに接続することができる。
【００３４】
また、各巻き始めスロットＳ１，Ｓ３，Ｓ５から第１の端面５ａ側に出ている各相の巻き始めリード線ｅ２，ｅ５，ｅ８と、各相の第１のコイルＵ１，Ｖ１，Ｗ１を巻線する前に巻き始めスロットＳ１，Ｓ３，Ｓ５から第１の端面５ａ側へ導出した後折り返した各相の折り返しリード線ｅ１，ｅ３、ｅ４，ｅ６、ｅ７，ｅ９とを、それぞれ各コイルＵ１，Ｕ２，Ｕ３；Ｖ１，Ｖ２，Ｖ３；Ｗ１，Ｗ２，Ｗ３の給電線として各相の３本ずつをまとめて図示しない絶縁チューブに入れて相間絶縁し、図１に示したようにそれぞれ各相の給電端子Ｕ、Ｖ、Ｗに接続することができる。
【００３５】
このステータコイル巻線方法によれば、各相ごとに３個ずつのコイルの３本の給電線となるリード線が同一スロットから出るため、その３本まとめて絶縁チューブに入れることによって給電線処理及び相間絶縁処理が完了し、かつその３本の給電線は同じ磁極歯に巻線されたコイルで巻き締められているため、特に固定処置を行わなくても緩むことがなく、作業効率が大幅に向上する。
【００３６】
また、残りの線９本のリード線は各コイルのコモン線となり、そのまま１箇所にまとめて束ねるだけで中性点となり、電源線と干渉しないので絶縁チューブ等による絶縁処理が不要になり、作業効率及びコストが大幅に改善される。
なお、各相ごとに３本の給電線は１箇所にまとめられているので、上記のようにそのまま束ねて使用してもよいし、端子に預けてそこから給電線を出してもよい。
同様にコモン線も、直接束ねて半田付け又は溶接等で接続してもよいし、コモン端子を用いて電気的に接続してもよい。いずれにしても、作業者が間違えずに容易に結線することができる。
【産業上の利用可能性】
【００３７】
以上説明してきたように、この発明による３層９極のステータ及びそのステータコイル巻線方法を適用すれば、各種家電製品や自動車等に使用されるブラシレスモータなどの大きなパワーを要求される大電流の３相モータのステータを、作業効率よく安価に製造することが可能になる。さらに、このような３相モータの省電力化や静音化にも貢献することができる。
【図面の簡単な説明】
【００３８】
【図１】この発明の一実施例である３相９極のステータを一方の端面側から見た下面図である。
【図２】同じくそのステータにおける第１の端面と反対側の第２の端面側における渡り線の係止状態を示す部分側面図である。
【図３】同じくそのステータにおけるステータコイル巻線方法を説明するための模式的展開図である。
【図４】同じくそのステータの第２の端面側における渡り線の状態を示す平面図である。
【図５】従来の３相９極のステータにおけるステータコイルの星型結線状態を示す図である。
【図６】同じくそのステータコイルの星型結線状態を簡略化して示す模式的結線図である。
【符号の説明】
【００３９】
５：ステータコア    ５ａ：第１の端面    ５ｂ：第２の端面    
６：絶縁枠    ７：渡り線係止用絶縁板    ８：コイル線    １０：３相９極のステータ
Ｕ：Ｕ相の給電端子    Ｖ：Ｖ相の給電端子    Ｗ：ＷＶ相の給電端子    
Ｃ：コモン端子    Ｕ１，Ｕ２，Ｕ３：Ｕ相のコイル    
Ｖ１，Ｖ２．Ｖ３：Ｖ相のコイル    Ｗ１，Ｗ２，Ｗ３：Ｗ相のコイル    
５Ｕ１〜５Ｕ３、５Ｖ１〜５Ｖ３、５Ｗ１〜５Ｗ３：磁極歯    Ｓ１〜Ｓ９：スロット
e１〜e３、ｅ４〜ｅ６、ｅ７〜ｅ９：各相３本ずつの電源線    Ｃ１〜Ｃ９：コモン線
Ｕｂ：Ｕ相のコイルの渡り線    Ｖｂ：Ｖ相のコイルの渡り線    
Ｗｂ：Ｗ相のコイルの渡り線
【図１】
0004704177.tif 000002
【図２】
0004704177.tif 000003
【図３】
0004704177.tif 000004
【図４】
0004704177.tif 000005
【図５】
0004704177.tif 000006
【図６】
0004704177.tif 000007